(57)【要約】【課題】開蓋されたものを確実に判別でき、指等を損傷せず開蓋操作が簡単にスムーズに行え、構成簡素で、組立て簡単で、取扱い易く、量産に適し、経済的で、興趣に富み、開蓋操作が楽しく行える組立包装箱を提供する。【解決手段】蓋部は折曲片６と上天板７と下天板８と中天板９とを備え、正面板１の上端中央部分に除去片１ａを形成し、下天板８に摘み片８ａを連設し、折曲片６に刳り抜き部６ａを形成し、下天板８を折曲片６の上に重ね、摘み片８ａを除去片１ａの裏面がわに配し、中天板９を下天板８の上に重ね、上天板７を中天板９の上に重ね、この重合状態を維持できるよう構成し、破断予定線２１を破断すると摘み片８ａが露出し、手指で摘んだ摘み片８ａを上方に強制移動せしめて、下天板８を上方に揺動させ、中天板９及び上天板７を破断予定線２２で破断して、胴部の上部開口部分を開放できるよう構成する。【選択図】        図９
2008273576.tif 000002
【特許請求の範囲】
【請求項１】
略四角筒状となる胴部と、この胴部の下部開口部分を閉鎖する底部と、胴部の上部開口部分を閉鎖する蓋部とからなる紙製の箱であって、胴部は、正面板と背面板と左右側板とを備え、蓋部は、正面板の上端縁に連設される折曲片と、左右側板のどちらか一方の上端縁に破断予定線を介して連設されると上天板と、背面板の上端縁に連設される下天板と、左右側板のどちらか他方の上端縁に破断予定線を介して連設される中天板とを備え、正面板の上端中央部分には、破断予定線によって区画される除去片を形成し、下天板の前端縁には、除去片より小さい摘み片を連設し、折曲片の前端がわ中央には、刳り抜き部を形成し、蓋部は、折曲片が胴部の上部開口部分の正面板がわを塞ぐように配され、下天板が折曲片の上に重なって胴部の上部開口部分を塞ぐように配されると共に、摘み片が除去片の裏面がわに配され、中天板が下天板の上に重なるように配され、上天板が中天板の上に重なるように配されると共に、この重合状態を維持できるようにして構成され、除去片の破断予定線を破断すると摘み片が露出するように形成し、この摘み片は、外がわに揺動させることにより手指で摘めるように形成され、摘み片を摘んだ状態のままこれを上方に強制移動せしめることで、下天板が上方に揺動すると共に、中天板及び上天板を破断予定線で破断させて、胴部の上部開口部分が開放できるように構成したことを特徴とする組立包装箱。
【請求項２】
略四角筒状となる胴部と、この胴部の下部開口部分を閉鎖する底部と、胴部の上部開口部分を閉鎖する蓋部とからなる紙製の箱であって、胴部は、正面板と背面板と左右側板とを備え、蓋部は、正面板の上端縁に折目線を介して連設される折曲片と、左右側板のどちらか一方の上端縁に破断予定線を介して連設される上天板と、背面板の上端縁に折目線を介して連設される下天板と、左右側板のどちらか他方の上端縁に破断予定線を介して連設される中天板とを備え、正面板の上端中央部分には、略溝形状の破断予定線によって区画されると共に、破断予定線の破断によって正面板から分離可能となるような除去片を形成し、下天板の前端縁には、除去片の幅以下で且つ除去片の長さより短い摘み片を折目線を介して連設し、折曲片の前端がわには、除去片の幅に合致すると共に、摘み片が遊挿可能となるような刳り抜き部を形成し、上天板の左側端縁或いは右側端縁には、折目線を介して差込片を連設し、中天板と左側板の連設部分、或いは中天板と右側板の連設部分の破断予定線の中央部分には、差込片が差込み係止可能となるような差込用切込線を形成し、蓋部は、折曲片が胴部の上部開口部分の正面板がわを塞ぐように配され、下天板が折曲片の上に重なって胴部の上部開口部分を塞ぐように配されると共に、摘み片が除去片の裏面がわに配され、中天板が下天板の上に重なるように配され、上天板が中天板の上に重なるように配されると共に、差込片が差込用切込線に差込み係止されて、この重合状態が維持されることにより構成され、除去片の破断予定線を破断すると摘み片が露出するように形成し、この摘み片は、外がわに揺動させることにより手指で摘めるように形成され、摘み片を摘んだ状態のままこれを上方に強制移動せしめることで、下天板が上方に揺動すると共に、中天板及び上天板を破断予定線で破断させて、胴部の上部開口部分が開放できるように構成したことを特徴とする組立包装箱。
【請求項３】
除去片の上端縁は、上方に向って湾出するような略円弧状に形成され、その中央上部が上天板の上面より僅かに突出するように形成したことを特徴とする請求項１または請求項２記載の組立包装箱。
【請求項４】
除去片の破断予定線を破断し、露出した摘み片を外がわに揺動せしめた後に形成される正面板の上部中央の空間は、指先の一部が入り込める大きさとなるよう構成したことを特徴とする請求項１または請求項２または請求項３記載の組立包装箱。
【発明の詳細な説明】
【技術分野】
【０００１】
本発明は、例えば、化粧品や、薬品や、ドリンク剤や、その他の適宜商品を収納できると共に、店頭等に陳列もできる組立包装箱に係り、いたずらや不注意等によって開蓋されたものについては確実に判別できるようにすると共に、開蓋操作がより行い易くなるようにし、しかも、興趣に富んだ開蓋操作が楽しく行えるように工夫した組立包装箱に関するものである。
【背景技術】
【０００２】
従来、この種の組立包装箱にあっては、種々のものが提供されており、例えば、特許文献１に示すような包装用箱が開示されている。
これは、シート体を折り曲げて開口部の蓋を形成している包装用箱において、上記蓋が閉じられた状態で蓋と接している箱体周面の端縁部に、この箱体形成部材の一部を容易に分離可能に設けられた切込部を形成し、この切込部に連接して切込部で囲まれる部分の箱体形成部材を分離不能に保持する接続部を設けたものである。
そして、この包装用箱は、商品を取り出す際、切込に親指等を当てて押し込み、切込を利用して開口部を形成し、更に指を入れ、その状態で上蓋を上方に開けようとすると、フラップの切込が破れて、フラップの一部が切込によって分離され、上蓋が開くように構成されたものである。
【０００３】
【特許文献１】実開平４−５３６１８号公報
【発明の開示】
【発明が解決しようとする課題】
【０００４】
そして、前述の如き組立包装箱によれば、切込に親指等を当てて押し込んだ後に、指先を開口部にある程度深く押し込まないと上蓋に指先を掛けることができず、上蓋をスムーズに開くことができない難点があった。しかも、切込に親指等を当てて押し込む際の力加減が判り難く、勢い良く親指を押し込んでしまった場合は、爪の生え際部分を切込縁で擦ってしまう虞等もあった。
そこで、本願発明者は、前述の如き難点等を解消できるようにすると共に、いたずらや不注意等によって開蓋されたものについては確実に判別でき、開蓋操作がより行い易く、興趣に富んだ開蓋操作が楽しく行え、しかも、構成が簡素で、組立てが簡単で、量産に適し、経済的となるような組立包装箱を提供できるようにすべく創出したものである。
【課題を解決するための手段】
【０００５】
しかして、前述の如き課題を達成できるようにすべく、本発明の請求項１記載の組立包装箱にあっては、略四角筒状となる胴部と、この胴部の下部開口部分を閉鎖する底部と、胴部の上部開口部分を閉鎖する蓋部とからなる紙製の箱であって、胴部は、正面板１と背面板３と左右側板２、４とを備え、蓋部は、正面板１の上端縁に連設される折曲片６と、左右側板２、４のどちらか一方の上端縁に破断予定線２２を介して連設されると上天板７と、背面板３の上端縁に連設される下天板８と、左右側板２、４のどちらか他方の上端縁に破断予定線２２を介して連設される中天板９とを備え、正面板１の上端中央部分には、破断予定線２１によって区画される除去片１ａを形成し、下天板８の前端縁には、除去片１ａより小さい摘み片８ａを連設し、折曲片６の前端がわ中央には、刳り抜き部６ａを形成し、蓋部は、折曲片６が胴部の上部開口部分の正面板１がわを塞ぐように配され、下天板８が折曲片６の上に重なって胴部の上部開口部分を塞ぐように配されると共に、摘み片８ａが除去片１ａの裏面がわに配され、中天板９が下天板８の上に重なるように配され、上天板７が中天板９の上に重なるように配されると共に、この重合状態を維持できるようにして構成され、除去片１ａの破断予定線２１を破断すると摘み片８ａが露出するように形成し、この摘み片８ａは、外がわに揺動させることにより手指で摘めるように形成され、摘み片８ａを摘んだ状態のままこれを上方に強制移動せしめることで、下天板８が上方に揺動すると共に、中天板９及び上天板７を破断予定線２２で破断させて、胴部の上部開口部分が開放できるように構成する手段を採用した。
【０００６】
また、請求項２記載の組立包装箱にあっては、略四角筒状となる胴部と、この胴部の下部開口部分を閉鎖する底部と、胴部の上部開口部分を閉鎖する蓋部とからなる紙製の箱であって、胴部は、正面板１と背面板３と左右側板２、４とを備え、蓋部は、正面板１の上端縁に折目線２０を介して連設される折曲片６と、左右側板２、４のどちらか一方の上端縁に破断予定線２２を介して連設される上天板７と、背面板３の上端縁に折目線２０を介して連設される下天板８と、左右側板２、４のどちらか他方の上端縁に破断予定線２２を介して連設される中天板９とを備え、正面板１の上端中央部分には、略溝形状の破断予定線２１によって区画されると共に、破断予定線２１の破断によって正面板１から分離可能となるような除去片１ａを形成し、下天板８の前端縁には、除去片１ａの幅以下で且つ除去片１ａの長さより短い摘み片８ａを折目線２０を介して連設し、折曲片６の前端がわには、除去片１ａの幅に合致すると共に、摘み片８ａが遊挿可能となるような刳り抜き部６ａを形成し、上天板７の左側端縁或いは右側端縁には、折目線２４を介して差込片７ａを連設し、中天板９と左側板４の連設部分、或いは中天板９と右側板２の連設部分の破断予定線２２の中央部分には、差込片７ａが差込み係止可能となるような差込用切込線２３を形成し、蓋部は、折曲片６が胴部の上部開口部分の正面板１がわを塞ぐように配され、下天板８が折曲片６の上に重なって胴部の上部開口部分を塞ぐように配されると共に、摘み片８ａが除去片１ａの裏面がわに配され、中天板９が下天板８の上に重なるように配され、上天板７が中天板９の上に重なるように配されると共に、差込片７ａが差込用切込線２２に差込み係止されて、この重合状態が維持されることにより構成され、除去片１ａの破断予定線２１を破断すると摘み片８ａが露出するように形成し、この摘み片８ａは、外がわに揺動させることにより手指で摘めるように形成され、摘み片８ａを摘んだ状態のままこれを上方に強制移動せしめることで、下天板８が上方に揺動すると共に、中天板９及び上天板７を破断予定線２２で破断させて、胴部の上部開口部分が開放できるように構成する手段を採用した。
【０００７】
更に、請求項３記載の組立包装箱にあっては、除去片１ａの上端縁は、上方に向って湾出するような略円弧状に形成され、その中央上部が上天板７の上面より僅かに突出するように形成する手段を採用した。
【０００８】
そして、請求項４記載の組立包装箱にあっては、除去片１ａの破断予定線２１を破断し、露出した摘み片８ａを外がわに揺動せしめた後に形成される正面板１の上部中央の空間は、指先の一部が入り込める大きさとなるよう構成する手段を採用した。
【発明の効果】
【０００９】
従って、本発明の請求項１記載の組立包装箱によれば、いたずらや不注意等によって開蓋されたものについては、破断予定線２１や破断予定線２２が破断するようになるため、確実に判別できるようになる。更に、開蓋操作が指等を損傷することなく簡単に且つスムーズに行えるようになる。しかも、構成が簡素で、組立てが簡単で、取扱い易く、量産に適し、経済的な組立包装箱となる。
【００１０】
特に、除去片１ａの破断予定線２１を破断すると摘み片８ａが露出するように形成し、この摘み片８ａは、外がわに揺動させることにより手指で摘めるように形成され、摘み片８ａを摘んだ状態のままこれを上方に強制移動せしめることで、下天板８が上方に揺動すると共に、中天板９及び上天板７を破断予定線２２で破断させて、胴部の上部開口部分が開放できるように構成したので、開蓋操作が今までに無い興趣に富んだものとなり、開蓋操作を楽しく行えるようになる。しかも、露出した摘み片８ａは外がわに揺動させられるので、これを手指で確実に且つ容易に摘むことができるようになり、下天板８を上方に確実に揺動せしめて、中天板９及び上天板７を破断予定線２２でスムーズに破断させることができるようになる。
加えて、上天板７は、左右側板２、４のどちらか一方の上端縁に破断予定線２２を介して連設し、中天板９は、左右側板２、４のどちらか他方の上端縁に破断予定線２２を介して連設したので、中天板９及び上天板７を破断予定線２２でよりスムーズに破断させることができるようになる。
【００１１】
また、本発明の請求項２記載の組立包装箱によれば、いたずらや不注意等によって開蓋されたものについては、破断予定線２１や破断予定線２２が破断するようになるため、確実に判別できるようになる。更に、開蓋操作が指等を損傷することなく簡単に且つスムーズに行えるようになる。しかも、構成が簡素で、組立てが簡単で、取扱い易く、量産に適し、経済的な組立包装箱となる。
【００１２】
特に、除去片１ａの破断予定線２１を破断すると摘み片８ａが露出するように形成し、この摘み片８ａは、外がわに揺動させることにより手指で摘めるように形成され、摘み片８ａを摘んだ状態のままこれを上方に強制移動せしめることで、下天板８が上方に揺動すると共に、中天板９及び上天板７を破断予定線２２で破断させて、胴部の上部開口部分が開放できるように構成したので、開蓋操作が今までに無い興趣に富んだものとなり、開蓋操作を楽しく行えるようになる。しかも、露出した摘み片８ａは外がわに揺動させられるので、これを手指で確実に且つ容易に摘むことができるようになり、下天板８を上方に確実に揺動せしめて、中天板９及び上天板７を破断予定線２２でスムーズに破断させることができるようになる。
加えて、正面板１の上端中央部分には、略溝形状の破断予定線２１によって区画されると共に、破断予定線２１の破断によって正面板１から分離可能となるような除去片１ａを形成し、下天板８の前端縁には、除去片１ａの幅以下で且つ除去片１ａの長さより短い摘み片８ａを折目線２０を介して連設し、折曲片６の前端がわには、除去片１ａの幅に合致すると共に、摘み片８ａが遊挿可能となるような刳り抜き部６ａを形成したので、刳り抜き部６ａを利用して、手指で摘み片８ａと一緒に蓋部（下天板８及び中天板９及び上天板７）の一部も摘めるようになり、指先に力を加え易くなって中天板９及び上天板７の破断予定線２２をよりスムーズに破断させて、爽快感を伴った開蓋が行えるようになる。
しかも、上天板７は、左右側板２、４のどちらか一方の上端縁に破断予定線２２を介して連設し、中天板９は、左右側板２、４のどちらか他方の上端縁に破断予定線２２を介して連設したので、中天板９及び上天板７を破断予定線２２でよりスムーズに破断させることができるようになる。
【００１３】
更に、本発明の請求項３記載の組立包装箱によれば、上天板７の上面より僅かに突出している除去片１ａの中央上部に、指先を掛け易くなり、破断予定線２１の破断がより簡単に且つスムーズに行えるようになる。
【００１４】
そして、本発明の請求項４記載の組立包装箱によれば、除去片１ａの破断予定線２１を破断し、露出した摘み片８ａを外がわに揺動せしめた後に形成される正面板１の上部中央の空間に、指先の一部が損傷することなくよりスムーズに入るようになり、手指で摘み片８ａと一緒に蓋部（下天板８及び中天板９及び上天板７）の一部もより簡単に摘め、指先に力を加え易くなって中天板９及び上天板７の破断予定線２２をよりスムーズに破断させて、爽快感を伴った開蓋が行えるようになる。
【発明を実施するための最良の形態】
【００１５】
以下、本発明を図示例に基づいて説明すると、次の通りである。
本発明の組立包装箱は、略四角筒状となる胴部と、この胴部の下部開口部分を閉鎖する底部と、胴部の上部開口部分を閉鎖する蓋部とからなる紙製（或いは、適宜樹脂製、或いは、紙材を含む適宜複合材を利用したものであっても良い）の箱である。
そして、胴部は、正面板１と背面板３と左右側板２、４とを備え、蓋部は、正面板１の上端縁に連設される折曲片６と、左右側板２、４のどちらか一方の上端縁に破断予定線２２を介して連設されると上天板７と、背面板３の上端縁に連設される下天板８と、左右側板２、４のどちらか他方の上端縁に破断予定線２２を介して連設される中天板９とを備えている。
更に、正面板１の上端中央部分には、破断予定線２１によって区画される除去片１ａを形成し、下天板８の前端縁には、除去片１ａより小さい摘み片８ａを連設し、折曲片６の前端がわ中央には、刳り抜き部６ａを形成してある。
それから、蓋部は、折曲片６が胴部の上部開口部分の正面板１がわを塞ぐように配され、下天板８が折曲片６の上に重なって胴部の上部開口部分を塞ぐように配されると共に、摘み片８ａが除去片１ａの裏面がわに配され、中天板９が下天板８の上に重なるように配され、上天板７が中天板９の上に重なるように配されると共に、この重合状態を維持できるようにして構成されている。
しかも、除去片１ａの破断予定線２１を破断すると摘み片８ａが露出するように形成し、この摘み片８ａは、外がわに揺動させることにより手指で摘めるように形成され、摘み片８ａを摘んだ状態のままこれを上方に強制移動せしめることで、下天板８が上方に揺動すると共に、中天板９及び上天板７を破断予定線２２で破断させて、胴部の上部開口部分が開放できるように構成されている。
【実施例】
【００１６】
図に示す組立包装箱の胴部は、例えば、略矩形状の正面板１と、この正面板１の右側端縁に折目線２５を介して連設される略矩形状の右側板２と、この右側板２の後端縁に折目線２５を介して連設される略矩形状の背面板３と、この背面板３の左側端縁に折目線２５を介して連設される略矩形状の左側板４と、この左側板４の裏面に接着されると共に、正面板１の左側端縁に折目線２５を介して連設される糊代となる略細長帯板状の接着片５とからなり、全体略四角筒状を呈している。
【００１７】
そして、正面板１の上端中央部分には、略溝形状の破断予定線２１によって区画されると共に、破断予定線２１の破断によって正面板１から分離可能（完全に分離させるように形成しても良いし、或いは、底部がわの一部が分離しないように形成してあっても良い。）となるような略矩形状の除去片１ａが形成されている。尚、破断予定線２１は、例えば、破線状の切込線によって構成されている。
しかも、除去片１ａの上端縁は、上方に向って湾出するような略円弧状に形成され、その中央上部が後述する蓋部の上天板７の上面より僅かに突出するように形成されている。すなわち、上天板７の上面より僅かに突出している除去片１ａの中央上部に、指先を掛け易く形成してあり、破断予定線２１の破断がより簡単に且つスムーズに行えるように形成してある。
【００１８】
また、図に示す組立包装箱の蓋部は、例えば、正面板１の上端縁に折目線２０を介して連設される折曲片６と、左右側板２、４のどちらか一方の上端縁（例えば、右側板２の上端縁）に破断予定線２２を介して連設される略矩形状の上天板７と、背面板３の上端縁に折目線２０を介して連設される略矩形状の下天板８と、左右側板２、４のどちらか他方の上端縁（例えば、左側板４の上端縁）に破断予定線２２を介して連設される略矩形状の中天板９とで構成されている。
尚、破断予定線２２は、図示例のように略へ字状の切込線を複数所定間隔に配して構成したものでも良いし、或いは、ミシン目状の切込線でも良いし、その他適宜自由に設定、変更できるものである。また、この破断予定線２２は、右側板２と上天板７の連設部分や、左側板４と中天板９の連設部分ではなく、上天板７や中天板９に設けるようにしても良い。
【００１９】
そして、下天板８の前端縁には、除去片１ａの幅以下で且つ除去片１ａの長さより短い略矩形状（或いは、その他の形状でも良い）の摘み片８ａが折目線２０を介して連設してある。
【００２０】
更に、折曲片６の前端がわには、除去片１ａの幅に合致すると共に、摘み片８ａが遊挿可能となるような略矩形状（或いは、その他の形状でも良い）の刳り抜き部６ａを形成してあり、折曲片６自体は略コ字状となっている。
【００２１】
前記上天板７の左側端縁（或いは右側端縁）には、折目線２４を介して略半円状（或いは、その他の形状でも良い）の差込片７ａを連設してある。尚、折目線２４は、その両端部分が略へ字状の切込線となっており、後述する差込用切込線２３に差込んだときに、差込片７ａの両端部分が差込用切込線２３の孔端縁部分に係止され易くなるように形成されている。
【００２２】
一方、前記中天板９と左側板４の連設部分（或いは中天板９と右側板２の連設部分）の破断予定線２２の中央部分には、差込片７ａが差込み係止可能となるような略Ｔ字状（或いは、直線状でも良い）の差込用切込線２３を形成してある。すなわち、差込用切込線２３に差込片７ａがスムーズに差込み係止できるように形成してある。
【００２３】
しかして、組立包装箱の蓋部は、折曲片６が胴部の上部開口部分の正面板１がわを塞ぐように配され（図２、図３参照）、下天板８が折曲片６の上に重なって胴部の上部開口部分を塞ぐように配されると共に、摘み片８ａが除去片１ａの裏面がわに配され（図３、図４参照）、中天板９が下天板８の上に重なるように配され（図４、図５参照）、上天板７が中天板９の上に重なるように配されると共に、差込片７ａが差込用切込線２２に差込み係止され（図５、図６参照）ている。しかも、上天板７上面と左側板４表面とに跨るように封緘紙を接着する（図６、図７参照）ことで、これらの重合状態が確実に維持されるように構成されている。
ところで、封緘紙を設ける代わりに、中天板９と上天板７とを接着しても良い。このとき、差込片７ａと差込用切込線２３は設けなくても良い。
【００２４】
すなわち、組立包装箱の蓋部は、除去片１ａの破断予定線２１を破断すると摘み片８ａが露出するように形成されており（図７、図８参照）、この摘み片８ａは、外がわに揺動させることにより手指で摘めるように形成され（図９参照）、摘み片８ａを摘んだ状態のままこれを上方に強制移動せしめることで、下天板８が上方に揺動すると共に、中天板９及び上天板７を破断予定線２２で破断させて、胴部の上部開口部分が開放できるように構成されている。
【００２５】
尚、除去片１ａの破断予定線２１を破断した後（更に、摘み片８ａを外がわに揺動せしめた後）に形成される正面板１の上部中央の空間は、指先（例えば、親指の指先、或いは人差し指の指先）の一部が入り込める大きさとなるように形成されている。すなわち、除去片１ａの破断予定線２１を破断し、露出した摘み片８ａを外がわに揺動せしめた後に形成される正面板１の上部中央の空間に、指先の一部が損傷することなくよりスムーズに入るようになり、手指で摘み片８ａと一緒に蓋部（下天板８及び中天板９及び上天板７）の一部もより簡単に摘めて、指先に力を加え易くなって中天板９及び上天板７の破断予定線２２をよりスムーズに且つ勢い良く破断させて、爽快感を伴った開蓋が行えるように構成されている。
【００２６】
更に、図に示す組立包装箱の底部は、例えば、正面板１の下端縁に折目線２６を介して連設される略三角形状の前底片１０と、背面板３の下端縁に折目線２６を介して連設される略三角形状の後底片１２と、右側板２の下端縁に折目線２６を介して連設される略台形状の右底片１１と、左側板４の下端縁に折目線２６を介して連設される略台形状の左底片１３とからなり、前底片１０の斜辺に折目線２７を介して連設した略五角形状の接着片１４を、右底片１１の下面所定位置に接着し、後底片１２の斜辺に折目線２７を介して連設した略五角形状の接着片１５を、左底片１３の下面所定位置に接着することで構成されている。すなわち、この底部は、筒部と共に折畳み可能となるように形成されている。
尚、組立包装箱の底部の構成は、図示例のものに限定されることなく、適宜自由に設定、変更できるものである。
【００２７】
ところで、組立包装箱の具体的構成、形状、寸法、材質、胴部の具体的構成、形状、寸法、材質、蓋部の具体的構成、形状、寸法、材質、底部の具体的構成、形状、寸法、材質、正面板１の具体的構成、形状、寸法、材質、除去片１ａの具体的構成、形状、寸法、配設位置、右側板２の具体的構成、形状、寸法、材質、背面板３の具体的構成、形状、寸法、材質、左側板４の具体的構成、形状、寸法、材質、接着片５の具体的構成、形状、寸法、材質、配設位置、折曲片６の具体的構成、形状、寸法、材質、刳り抜き部６ａの具体的形状、寸法、上天板７の具体的構成、形状、寸法、材質、配設位置、差込片７ａの具体的構成、形状、寸法、材質、配設位置、数、下天板８の具体的構成、形状、寸法、材質、配設位置、摘み片８ａの具体的構成、形状、寸法、材質、配設位置、中天板９の具体的構成、形状、寸法、材質、配設位置、前底片１０の具体的構成、形状、寸法、材質、配設位置、右底片１１の具体的構成、形状、寸法、材質、配設位置、後底片１２の具体的構成、形状、寸法、材質、配設位置、左底片１３の具体的構成、形状、寸法、材質、配設位置、接着片１４の具体的構成、形状、寸法、材質、配設位置、接着片１５の具体的構成、形状、寸法、材質、配設位置、折目線２０の具体的構成、形状、寸法、破断予定線２２の具体的構成、形状、寸法、配設位置、差込用切込線２３の具体的構成、形状、寸法、配設位置、数、折目線２４の具体的構成、形状、寸法、折目線２５、２６、２７、２８の具体的構成、形状、寸法、材質、配設位置等は、図示例のもの等に限定されることなく適宜自由に設定、変更できるものである。
【図面の簡単な説明】
【００２８】
【図１】本発明の組立包装箱を例示する展開図である。
【図２】本発明の組立包装箱の蓋部の組立て状態（折曲片６を揺動させる状態）を例示する斜視図である。
【図３】本発明の組立包装箱の蓋部の組立て状態（折曲片６の上に重なるように下天板８を揺動させる状態）を例示する斜視図である。
【図４】本発明の組立包装箱の蓋部の組立て状態（下天板８の上に重なるように中天板９を揺動させる状態）を例示する斜視図である。
【図５】本発明の組立包装箱の蓋部の組立て状態（中天板９の上に重なるように上天板７を揺動させる状態）を例示する斜視図である。
【図６】本発明の組立包装箱の蓋部の組立て状態を例示する斜視図である。
【図７】本発明の組立包装箱の蓋部を開ける状態（除去片１ａを分離して摘み片８ａを揺動させる状態）を例示する斜視図である。
【図８】本発明の組立包装箱の蓋部を例示すると共に、蓋部を開ける状態（除去片１ａを分離する状態）を例示する部分断面図である。
【図９】本発明の組立包装箱の蓋部を開ける状態（摘み片８ａを揺動させて手指で摘んだ状態）を例示する部分断面図である。
【符号の説明】
【００２９】
１      正面板
１ａ    除去片
２      右側板
３      背面板
４      左側板
５      接着片
６      折曲片
６ａ    刳り抜き部
７      上天板
７ａ    差込片
８      下天板
８ａ    摘み片
９      中天板
１０    前底片
１１    右底片
１２    後底片
１３    左底片
１４    接着片
１５    接着片
２０    折目線
２１    破断予定線
２２    破断予定線
２３    差込用切込線
２４    折目線
２５    折目線
２６    折目線
２７    折目線
【図１】
2008273576.tif 000003
【図２】
2008273576.tif 000004
【図３】
2008273576.tif 000005
【図４】
2008273576.tif 000006
【図５】
2008273576.tif 000007
【図６】
2008273576.tif 000008
【図７】
2008273576.tif 000009
【図８】
2008273576.tif 000010
【図９】
2008273576.tif 000011